(57)【要約】送受信される各フレーム（５００）は、２つのフレームシーケンス番号を含む。第１フレームシーケンス番号（５０１）には、送信されるフレームのシーケンス番号が含まれ、一方、第２フレームシーケンス番号（５０２）には、送信機によって受信される次に予想されるフレームのシーケンス番号が含まれる。各フレーム（５００）は、次に予想されるデータフレーム（５０２）用のシーケンス番号を含むため、送信回路（３０１、３０２）は、特定のフレームが受信機によって受信されなかったかどうか即座に気付く。これによって、データセッションの終わりに送信が必要なアイドル・フレームの数が低減される。
2005520394.tif 000002
【特許請求の範囲】
【請求項１】
第１系列のフレームシーケンス番号を有する第１組のデータを受信するステップと、
第２系列のフレームシーケンス番号及び第１系列のフレームシーケンス番号を含む第２組のデータを送信するステップと、
を含む方法。
【請求項２】
請求項１に記載の方法であって、第２組のデータを送信するステップは、最も古い欠落フレームのシーケンス番号を含む第２組のデータを送信するステップを更に含む方法。
【請求項３】
請求項１に記載の方法であって、第１系列のフレームシーケンス番号を有する第１組のデータを受信するステップは、第１系列の無線リンクプロトコル（ＲＬＰ）フレームシーケンス番号を有する第１組のデータを受信するステップを含む方法。
【請求項４】
請求項１に記載の方法であって、第２組のデータを送信するステップは、否定応答（ＮＡＫ）を送信するステップを含む方法。
【請求項５】
第１データ送信セッションからの第１フレームシーケンス番号と、
第２データ送信セッションからの第２フレームシーケンス番号と、
第１データ送信セッションからのデータであって、第２データ送信セッションからのデータは含まないデータと、
を含むフレーム。
【請求項６】
請求項５に記載のフレームであって、第１フレームシーケンス番号は、無線リンクプロトコル（ＲＬＰ）フレームシーケンス番号を含むフレーム。
【請求項７】
請求項６に記載のフレームであって、第２フレームシーケンス番号は、ＲＬＰフレームシーケンス番号を含むフレーム。
【請求項８】
請求項５に記載のフレームであって、第１データ送信セッションには、送信されるデータが含まれるフレーム。
【請求項９】
請求項８に記載のフレームであって、第２データ送信セッションには、受信されるデータが含まれるフレーム。
【請求項１０】
第１の複数フレームを受信するステップであって、第１の複数フレームは、第１系列のシーケンス番号を含むステップと、
第２の複数フレームを送信するステップであって、第２の複数フレームは、第１の複数シーケンス番号とは異なる第２系列のシーケンス番号を含み、第２の複数フレームは、第１系列のシーケンス番号を更に含むステップと、
を含む方法。
【請求項１１】
請求項１０に記載の方法であって、第２の複数フレームを送信するステップは、最も古い欠落フレームのシーケンス番号を含む第２の複数フレームを送信するステップを更に含む方法。
【請求項１２】
請求項１０に記載の方法であって、第１の複数フレームを受信するステップは、第１系列の無線リンクプロトコル（ＲＬＰ）フレームシーケンス番号を有する第１の複数フレームを受信するステップを含む方法。
【請求項１３】
請求項１０に記載の方法であって、第２の複数フレームを送信するステップは、複数の否定応答（ＮＡＫ）を送信するステップを含む方法。
【発明の詳細な説明】
【技術分野】
【０００１】
本発明は、概して、データの送受信に関し、特に、無線通信システム内においてデータを送受信するための方法及び装置に関する。
【背景技術】
【０００２】
現在の符号分割多元接続（ＣＤＭＡ）通信システムでは、無線リンクプロトコル（ＲＬＰ）がリンク層に利用され、移動体ユニットと基幹装置との間でデータ・トラフィックが移送される。ＲＬＰは、受信機がＲＬＰフレームを正しく受信したことを通知しないという点で、否定応答（ＮＡＫ）ベースのプロトコルである。順番通りの配信は、各フレームに対するシーケンス番号（ＳＥＱ）を用いて実現される。双方向通信時、各移動体すなわち遠隔ユニットは、送信する次の新しいデータフレームのシーケンス番号［ＳＥＱ（Ｓ）］用のカウンタ、及び受信が予想される次の新しいデータフレームのシーケンス番号［ＳＥＱ（Ｒ）］用のカウンタを保持する。ＲＬＰは、フレームが、次に予想されるシーケンス番号（ＳＥＱ（Ｒ））よりも大きいシーケンス番号で受信されると、ＲＬＰフレームの再送信を要求する。再送信は、送信機にＮＡＫを送り、受信されなかったフレームのシーケンス番号を識別することによって実現される。否定応答フレームの受信に先立ち、引き続き送信されるＲＬＰフレームは、受信機が受信し続ける。
【０００３】
図１は、現在のＲＬＰ−ＮＡＫ手順を示す。図１は、ユニット１０１からの送信及びユニット１０２による受信を示すが、多くの例において、ユニット１０２も、独立したＲＬＰ手順を利用してユニット１０１にデータを送信し、独立したシーケンス番号を有することに留意されたい。
【０００４】
図示したように、フレーム１０１は、無線で送信機によって送信され、フレーム１０２のように受信機によって受信される。無線送信時、データは、欠落し、受信機に再送信しなければならないことが多い。このことは、フレームＦ３の欠落として図１に示す。フレームＦ４を受信すると、受信機は、直ちにフレームＦ３が欠落していることを認識し、送信機にＮＡＫを送ることによってＦ３の再送信を要求する。ＮＡＫを受信すると、送信機は、直ちに送信機にＦ３を再送信する。
【０００５】
送信機によってベアラデータバースト（ｂｅａｒｅｒ  ｄａｔａ  ｂｕｒｓｔ）（例えば、アップロード又はダウンロード）で送信される最終データフレームが受信されない場合、問題が生じる。この状況下では、受信機が次のフレームを受信しないため、受信機は、他のベアラフレームが、送信機によって送信されない限り、あるいは送信されるまで、最終データフレームが受信されなかったことに気が付かない。特に、ＲＬＰは、フレームシーケンス番号の途切れによって欠落フレームを判断するため、受信機は、フレームが受信されなかったかどうか判断するために、次に送信されるフレームを受信する必要がある。
【０００６】
この問題を解決するために、従来技術によるシステムは、最終データフレームが送信された後、所定数のアイドル・フレームを送信する。アイドル・フレームには、データフレームの順番で次のフレーム番号に等しいフレーム番号が含まれる。図２に示すように、送信される最終データフレーム（Ｆ４）の後には、一連のアイドル・フレーム（Ｉ５）が続き、Ｆ３が再送されるときにも、一連のアイドル・フレームが続く。受信機は、アイドル・フレームＩ５を受信すると、データ送信が終了したことと、Ｆ４が受信機に送信される最終データフレームであることが分かる。
【０００７】
アイドル・フレームの送信により上述した問題は解決するが、アイドル・フレームの送信が、無線周波数（ＲＦ）及びネットワーク容量に負の影響を与えるという点で他の問題が生じる。特に、ＣＤＭＡシステムは、自己干渉システムであるため、システム上の全ての送信によって、システム干渉、ネットワーク容量負荷、また、時として、移動体加入者（ＭＳ）のバッテリーの消耗が増大する。
【発明の開示】
【発明が解決しようとする課題】
【０００８】
従って、受信機が、いつ最終データフレームが受信されなかったかについて知ることが可能な、更に、従来技術のシステムと比較して、システム干渉及びネットワーク容量負荷の量を低減するデータ送信用の方法及び装置に対する必要性が存在する。
【課題を解決するための手段】
【０００９】
上述した必要性に対処するために、本願においてデータを送信するための方法及び装置を提供する。本発明の好適な実施形態によれば、送受信される各フレームには、２つのフレームシーケンス番号が含まれる。第１フレームシーケンス番号には、送信されているフレームのシーケンス番号が含まれ、他方、第２フレームシーケンス番号には、送信機によって受信される次に予想されるフレームのシーケンス番号が含まれる。
【００１０】
各フレームには、次に予想されるデータフレーム用のシーケンス番号が含まれるため、送信回路は、特定のフレームが受信機によって受信されなかったか否か、より速く認識する。これによって、データセッションの終わりに送信が必要なアイドル・フレームの数が低減される。
【００１１】
本発明は、第１系列のフレームシーケンス番号を有する第１組のデータを受信するステップと、第２系列のフレームシーケンス番号及び第１系列のシーケンス番号を含む第２組のデータを送信するステップとを含む方法を包含する。
【００１２】
本発明は、更に、第１データ送信セッションからの第１フレームシーケンス番号と、第２データ送信セッションからの第２フレームシーケンス番号と、第１データ送信セッションからのデータであって、第２データ送信セッションからのデータは含まないデータとを含むフレームを包含する。
【００１３】
本発明は、更に、第１の複数フレームを受信するステップであって、第１の複数フレームは、第１系列のシーケンス番号を含むステップと、第２の複数フレームを送信するステップであって、第２の複数フレームは、第１の複数シーケンス番号とは異なる第２系列のシーケンス番号を含み、更に、第２の複数フレームは、第１系列のシーケンス番号を含むステップとを含む方法を包含する。
【発明を実施するための最良の形態】
【００１４】
次に図面を参照すると、同様の数字は同様の構成要素を示しており、図３は、本発明の好適な実施形態に基づく通信システム３００のブロック図である。図示したように、通信システム３００には、送受信回路３０１と、送受信回路３０２とが含まれる。送受信回路３０１／３０２は、好適には、モトローラＳＣ中央基地局制御装置、モトローラＳＣ４８００基地局送受信システム、若しくは移動体等のＣＤＭＡ無線接続ネットワーク、又は、モトローラＳｔａｒＴＡＣ（登録商標）等のセル方式ハンドセットである。
【００１５】
動作時、データは、論理ユニット３０４及びバッファ３０５に入力される。データは、論理ユニット３０４から送受信機３０３に送られ、ここで、通信チャネル３０８を通じて送信される。ＣＤＭＡ無線プロトコルは、ＲＬＰを利用する。上述したように、ＲＬＰは
、ＲＬＰフレームが正常に受信されたことを受信機が通知しないという点で、否定応答ベースのプロトコルである。従って、受信側では、送受信機３０３は、単にＮＡＫを発信機に送ることによって、欠落ＲＬＰフレームの再送信を要求する。特に、フレームが順番通りに受信されない場合、論理回路３０４は、送受信機３０３に対して、異常受信された（又は受信されなかった）フレームのＮＡＫを行なうように指示する。ＮＡＫは、通信チャネル３０８を通じて送信され、（送受信機３０３を介して）発信機によって受信される。
【００１６】
ＮＡＫは、最終的に、論理ユニット３０４によって受信され、論理ユニット３０４は、バッファ３０５から欠落フレームを検索し、フレームを再送信するように送受信機３０３に指示する。全てのデータが送信されると、論理ユニット３０４は、送信された最終フレームから増分されたシーケンス番号を有する所定数（Ｎ）のアイドル・フレームを送信するように送受信機３０３に指示する。より詳細には、送信された最終データフレームのシーケンス番号がＭであった場合、各々がシーケンス番号Ｍ＋１を有するＮ個のアイドル・フレームが送信される。送信されたアイドル・フレームの数を常時監視するために、論理ユニット３０４は、アイドルフレームカウンタ３０８を利用する。
【００１７】
上述のように、アイドル・フレームの送信が必要であるが、アイドル・フレームの送信は、無線周波数（ＲＦ）容量及びネットワーク容量に負の影響を与えるという点で問題が生じる。この問題に対処するために、全ての送信フレームは、更に、次に予想されるＲＬＰフレーム用のＲＬＰシーケンス番号を含む。従って、送信されるデータの受信機は、そのデータセッションのＲＬＰシーケンス番号を有する各フレームを、別のデータセッションからのＲＬＰシーケンス番号、つまり、受信機が発信側にデータを送信する場合に、受信機からの予想されるＲＬＰシーケンス番号と共に受信する。換言すれば、送受信機３０３によって送信されるフレームは、２つのデータ送信セッション用のＲＬＰシーケンス番号を含む。第１ＲＬＰシーケンス番号は、送信中の現データセッション用のＲＬＰシーケンス番号（ＳＥＱ（Ｓ））であり、第２ＲＬＰシーケンス番号は、受信中の現データセッションにおいて次に予想されるシーケンス用のＲＬＰシーケンス番号（ＳＥＱ（Ｒ））である。
【００１８】
本送信方式を図４に示す。図示したように、ユニット４０１，４０２の双方は、データを送受信している。ユニット４０１は、ユニット４０２からデータを受信し、かつ、ユニット４０２にデータを送信する。同様に、ユニット４０２は、ユニット４０１から送信されるデータを受信し、かつ、ユニット４０１にデータを送信する。各データ送信には、それ自体の固有のＲＬＰシーケンス番号が含まれる。従って、ユニット４０１から送信されるデータフレームには、第１系列のシーケンス番号（例えば、・・・１０１，１０２，１０３，・・・）が含まれ、ユニット４０１によって受信される（４０２から送信される）データフレームには、第１系列のシーケンス番号とは独立した第２系列のシーケンス番号（例えば、・・・２１，２２，２３，・・・）が含まれる。上述したように、更に、各データフレームは、受信中のデータの次に予想されるシーケンス番号用のシーケンス番号を伝える。従って、例えば、ユニット４０１が、現時点で、１０１のシーケンス番号でフレームを送信しており、かつ、シーケンス番号２２でフレームを受信したばかりである場合（次の予想＝２３）、ユニット４０２に送信される現フレームは、シーケンス番号１０１及び２３を含む。従って、動作中、送受信機は、第１系列のシーケンス番号を含む第１の複数フレームを受信し、一方、第１系列のシーケンス番号及び第２系列のシーケンス番号の双方を含む第２の複数フレームを同時に送信する。このため、ユニット４０２は、特定のフレームがユニット４０１によって受信されていないか否かを、より速く知ることになる。これによって、データセッションの終わりに送信が必要なアイドル・フレームの数が低減される。
【００１９】
図５及び表１は、本発明の好適な実施形態に基づくフレーム構造を示す。図５は、ＳＥ
Ｑ（Ｓ）５０１及びＳＥＱ（Ｒ）５０２の双方を含む非セグメント化データフレーム５００を示すが、本発明の他の実施形態において、ＳＥＱ（Ｓ）及びＳＥＱ（Ｒ）の双方を含むフレームは、セグメント化されたデータフレーム、充填フレーム、アイドル・フレーム、及びＮＡＫフレームであってよいことに留意されたい。上述したように、フレーム構造は、２つのデータ送信シーケンス番号を含むことに留意されたい。
【００２０】
【表１】
2005520394.tif 000003
本発明の好適な実施形態において、ＳＥＱ（Ｓ）フィールドには、データフレームのシーケンス番号の最下位８ビットが含まれる。新しいデータフレームの場合、データフレームのシーケンス番号は、（ＴＩＡ／ＥＩＡ（米国通信工業協会／電子工業協会）／ＩＳ−７０７−Ａ−２．３の４．３．１．１項に記述されているように）Ｌ＿Ｖ（Ｓ）である。再送信されるデータフレームの場合、データフレームのシーケンス番号は、フレームが新しいデータフレームとして送信された時と同じである。フレームが非セグメント化データを搬送する場合、ＣＴＬフィールドは、‘０’に設定される。ＲＥＸＭＩＴフィールドは、フレームが再送信データフレームである場合には‘１’に設定され、そうでない場合には‘０’に設定される。ＬＥＮフィールドは、データ長を示し、１からデータフレームに対して最大許容値までの範囲の任意の値であってよい。上述したように、ＳＥＱ（Ｒ）は、受信中の現データセッションにおける次に予想されるシーケンス用のシーケンス番号である。最後に、パディングフィールドは、フレームの残りを充填するために利用される。これらのビットは、‘０’に設定される。
【００２１】
図６は、本発明の好適な実施形態に基づく図３の通信システムの動作を示すフローチャートである。論理フローは、ステップ６０１で始まり、ここで、第１送受信装置３０１が、第２送受信装置３０２から送信される第１フレームを受信する。上述したように、受信されたフレームには、第１シーケンス番号が含まれる。ステップ６０３において、論理ユニット３０４は、受信されたシーケンス番号に基づき、次に予想されるシーケンス番号を決定する。ステップ６０５において、フレームが、送受信装置３０２に送信される。フレームには、現シーケンス番号だけでなく、次に予想されるシーケンス番号も含まれる。次に論理フローは、ステップ６０１に戻る。こうして、本発明の好適な実施形態に基づき、送受信機は、第１系列のフレームシーケンス番号を有する第１組のデータを受信するとともに、第１系列のフレームシーケンス番号及び第２系列のフレームシーケンス番号の双方を有する第２組のデータを送信する。
【００２２】
上述したように、各フレームには、次に予想されるデータフレーム用のシーケンス番号が含まれるため、送信回路は、特定のフレームが受信されなかったかどうか即座に気づく。これによって、データセッションの終わりに送信が必要なアイドル・フレームの数が低
減される。
【００２３】
場合によっては、フレーム内のデータ量が多くなって、第２シーケンス番号を付加できない場合があることに留意されたい。これらの状況下では、フレームフォーマットは、ＴＩＡ／ＥＩＡ／ＩＳ−７０７−Ａ−２．３に述べたものと同様である。従って、本発明の好適な実施形態に基づき、論理回路３０４は、フィールドを付加する前に、ＳＥＱ（Ｒ）を含むのに充分なスペースがフレーム内に存在するかどうかを判断するために、送信された各フレームを分析する。同様に、付加スペースがフレーム内に存在する場合、他のＲＬＰパラメータは、ＳＥＱ（Ｒ）と共に含まれ得る。例えば、受信機側における最も古い欠落ＳＥＱ番号であるＬ＿Ｖ（Ｎ）が発信側に報告されて、何時古いフレームがメモリから解放されて、システムのメモリ要件を低減し得るかを判断する一助となる。
【００２４】
本発明は、特定の実施形態を参照して、詳細に図示し説明したが、形態及び詳細の様々な変更が、本発明の精神及び範囲から逸脱することなく、それにおいて成し得ることが当業者は理解されるであろう。このような変更は、次の請求項の範囲内にあるものとする。
【図面の簡単な説明】
【００２５】
【図１】従来技術のデータ送信を示す図。
【図２】従来技術のデータ送信を示す図。
【図３】本発明の好適な実施形態に基づく通信システムを示すブロック図。
【図４】本発明の好適な実施形態に基づく送信方式を示す図。
【図５】本発明の好適な実施形態に基づくフレーム構造を示す図。
【図６】本発明の好適な実施形態に基づく図３の通信システムの動作を示すフローチャート。
【図１】
2005520394.tif 000004
【図２】
2005520394.tif 000005
【図３】
2005520394.tif 000006
【図４】
2005520394.tif 000007
【図５】
2005520394.tif 000008
【図６】
2005520394.tif 000009
【国際調査報告】
2005520394.tif 000010
2005520394.tif 000011